(57)【特許請求の範囲】
【請求項１】
背凭れを支持する支持構造体と、
前記支持構造体の外部に被せられた背凭れカバーと、
物品を保持するためのブラケットと、を備えており、
前記支持構造体は一部にブラケット取付部が形成されているとともに、
前記背凭れカバーは前記ブラケット取付部に対向する位置にブラケット取付口が開設されており、
前記ブラケットは一部にブラケット連結筒が形成されており、
前記ブラケットを前記ブラケット取付口に挿入して、前記締結筒内を挿通して結合部材を前記ブラケット取付部に締結自在とすることで、前記ブラケットが前記ブラケット取付口に着脱自在とされていることを特徴とする椅子。
【請求項２】
前記ブラケット取付口はキャップを装着可能に構成されていることを特徴とする請求項１に記載の椅子。
【請求項３】
前記ブラケットはハンガーを取付可能に構成されていることを特徴とする請求項１または２に記載の椅子。
【請求項４】
前記ブラケットは物品を収容する容器を取付可能に構成されていることを特徴とする請求項１、２または３に記載の椅子。
【発明の詳細な説明】
【０００１】
【発明の属する技術分野】
本発明は、椅子に関し、例えば、オフィスにおいて使用される椅子に利用して有効な技術に関する。
【０００２】
【従来の技術】
一般に、オフィスにおいて使用される椅子（以下、オフィス用椅子ということがある。）においては、事務等の作業性を高めるため、腰掛ける機能については充分な配慮が尽くされている。その一つとして、オフィス用椅子には背凭れが備え付けられている。背凭れは座板に支持された支持構造体に支持されている。
【０００３】
【発明が解決しようとする課題】
オフィス用椅子は腰掛けるのに便利なように構成されているが、他の機能についての配慮は不充分である。例えば、オフィス用椅子の背凭れに上着を掛けると、着席者によって上着の襟が押し潰されたり、上着の裾が床に引きずったりしてしまう。
【０００４】
また、携帯電話の普及に伴って、各個人が携帯電話を所有するようになっているが、各個人の携帯電話をオフィス用椅子に置くことが可能になれば、きわめて便利である。
【０００５】
本発明の目的は、椅子の利便性を高めることにある。
【０００６】
【課題を解決するための手段】
本発明に係る椅子は、背凭れを支持する支持構造体と、
前記支持構造体の外部に被せられた背凭れカバーと、
物品を保持するためのブラケットと、を備えており、
前記支持構造体は一部にブラケット取付部が形成されているとともに、
前記背凭れカバーは前記ブラケット取付部に対向する位置にブラケット取付口が開設されており、
前記ブラケットは一部にブラケット連結筒が形成されており、
前記ブラケットを前記ブラケット取付口に挿入して、前記締結筒内を挿通して結合部材を前記ブラケット取付部に締結自在とすることで、前記ブラケットが前記ブラケット取付口に着脱自在とされていることを特徴とする。
【０００７】
前記した手段において、ブラケットにハンガーを取り付けることにより、襟が押し潰されたり裾が床に引きずったりするのを防止しつつ椅子に上着を掛けることが可能になる。また、ブラケットに容器を取り付けることにより、椅子に携帯電話等を置くことが可能になる。ブラケットが外されたブラケット取付口はキャップを装着することにより、塞ぐことができるため、美観が損なわれるのを防止することができる。
【０００８】
【発明の実施の形態】
図１は本発明の一実施形態である椅子を示す一部切断側面図であり、図２はその背面図である。図３はブラケット取付部を示しており、（ａ）は分解斜視図、（ｂ）は（ａ）のｂ−ｂ線に沿う組立状態の断面図である。図４はブラケットを示しており、（ａ）は斜視図、（ｂ）は側面図、（ｃ）は（ｂ）のｃ−ｃ線に沿う断面図である。図５はカバーの装着を示しており、（ａ）は分解斜視図、（ｂ）は組立状態の背面図、（ｃ）は（ｂ）のｃ−ｃ線の断面図である。図６は容器の装着を示しており、（ａ）は分解斜視図、（ｂ）は組立状態の断面図である。
【０００９】
本実施形態において、本発明に係る椅子は、オフィスにおいて使用される椅子として構成されており、背凭れを備えている。椅子１は放射状に形成された複数本の脚部材２を備えており、脚部材２群の中心には筒状の脚体３が垂直方向上向きに支持されている。脚体３の上端部には座板４が水平に配置されて回転自在に支持されている。座板４の上にはクッション材や張り地等によって構成された座布団５が敷設されている。座板４の左右には左右で一対の肘掛け６、６がそれぞれ支持されている。
【００１０】
背凭れ７は背板８と背当て９と支持構造体１１とを備えており、背板８は支持構造体１１の上端部に雄ねじ部材１０によって取り付けられている。背当て９はクッション材や張り地等によって構成されており、背板８の正面側に敷設されている。背凭れ７の支持構造体１１の下端部は座板４の下面における後部に支持されている。支持構造体１１は金属が使用されてエルボ形状に形成されたパイプからなる支柱１２を一対備えており、両支柱１２、１２は左右対称形に配されて上端部に架設された金属製のプレート１３によって固定的に組まれた状態になっている。両支柱１２、１２およびプレート１３の外部には、樹脂によって中空体に形成されたカバー１４が被せられており、カバー１４は両支柱１２、１２およびプレート１３を全体的に被覆するように構成されている。支持構造体１１の下端部は座板４の下面に配置されてピン１５によって垂直面内で上下方向に回転自在に枢支されており、スプリング１６の弾発力によって位置規制されるようになっている。
【００１１】
図３に示されているように、支持構造体１１の一部であるプレート１３にはブラケット取付部としての一対の雌ねじ孔１７、１７が左右に水平に配置されて厚さ方向に開設されており、雌ねじ孔１７には雄ねじ部材１８がねじ込まれるようになっている。カバー１４の両雌ねじ孔１７、１７の対向する部分にはブラケット２０を取り付けるためのブラケット取付口（以下、取付口という。）１９が略長方形に開設されている。取付口１９は左右方向の幅が両雌ねじ孔１７、１７の間隔よりも大きく、高さが雌ねじ孔１７の外径よりも充分に大きく設定されており、ブラケット２０を挿入されるように構成されている。
【００１２】
物品を保持するためのブラケット２０は樹脂が使用されて、取付口１９よりも若干小さめの長方形の箱形に形成されており、前後方向の厚さはプレート１３とカバー１４との間隔よりも若干大きめに設定されている。ブラケット２０の内部には雄ねじ部材１８を締結するための締結筒２１が左右で一対、それぞれ左右対称形に配置されて背面壁から開口方向に延在するように形成されている。両締結筒２１、２１の中空部の長さ方向の途中には、各締結部２２が形成されており、各締結部２２においてブラケット２０がプレート１３に雌ねじ孔１７および雄ねじ部材１８によって締結されるようになっている。
【００１３】
ブラケット２０の上面壁には左右で一対のハンガー取付穴２３、２３が、左右に間隔を置かれて左右対称形に下向きに開設されている。ハンガー取付穴２３は前後方向において上側が後退するように傾斜されており、ハンガー取付穴２３の中心線を含む平面は垂直になっている。ハンガー取付穴２３の底部には雌ねじ孔２４が直交するように開設されており、雌ねじ孔２４にはビス２５が螺入されるようになっている。
【００１４】
ブラケット２０にはハンガー２６が両ハンガー取付穴２３、２３によって着脱可能に取り付けられている。すなわち、ハンガー２６は化粧被膜で被覆された金属または樹脂によって形成されているワイヤ２７を備えており、ワイヤ２７には上着掛け部２８とネクタイ掛け部２９と左右で一対の支持構造体部３０とが形成されている。両支持構造体部３０、３０の下端部には各環状溝３１がそれぞれ没設されており、両支持構造体部３０、３０の下端部が両ハンガー取付穴２３、２３にそれぞれ挿入されてビス２５、２５が環状溝３１、３１に挿入されることより、ハンガー２６がブラケット２０に立ち上がるように固定されている。ブラケット２０に立ち上げられた状態において、両ハンガー取付穴２３、２３が後方に傾斜されているため、ハンガー２６は後方に傾斜した状態になっている。
【００１５】
両支持構造体部３０、３０の上端部には左右で一対の後退部３２、３２が、後側に直角かつ左右対称形に屈曲されており、両後退部３２、３２の先端に連続して上着掛け部２８が垂直に立ち上がるように形成されている。この状態において、上着掛け部２８を含む平面は両支持構造体部３０、３０を含む平面から後退された状態になっている。ネクタイ掛け部２９は左右の支持構造体部３０、３０の間に位置する上着掛け部２８の上端部の中央に配置されている。ネクタイ掛け部２９を含む平面も両支持構造体部３０、３０を含む平面から後退された状態になっている。
【００１６】
以上のようにハンガー２６が取り付けられたブラケット２０はカバー１４に開設された取付口１９に挿入されてプレート１３の背面に当接され、締結筒２１に挿通された雄ねじ部材１８が雌ねじ孔１７にねじ込まれて締結部２２を締結されることにより、背凭れ７の支持構造体１１の一部であるプレート１３に装着される。ブラケット２０が背凭れ７の支持構造体１１に装着されると、ハンガー２６は背凭れ７の背後に取り付けられた状態になるため、ハンガー２６の上着掛け部２８に上着を掛けることでき、ネクタイ掛け部２９にネクタイを掛けることができる。
【００１７】
この状態において、ブラケット２０のハンガー取付孔２３が後方に傾斜され、上着掛け部２８を含む平面は両支持構造体部３０、３０を含む平面から後退された状態になっているため、上着掛け部２８に掛けられた上着の襟が背凭れ７の正面側に掛かることはない。したがって、椅子１の着席者によって上着の襟が押し潰されることはない。
【００１８】
ネクタイ掛け部２９を含む平面も両支持構造体部３０、３０を含む平面から後退された状態になっているため、ネクタイ掛け部２９に掛けられたネクタイがブラケット２０や背凭れ７のカバー１４に接触することはなく、接触によってネクタイが汚染されたり損傷されたりするのを未然に回避することができる。
【００１９】
ハンガー２６の高さは上着掛け部２８に掛けられた上着の裾や、ネクタイ掛け部に掛けられたネクタイの下端が床面に擦れない高さに設定されている。
【００２０】
ブラケット２０を背凭れ７の支持構造体１１に取り付けない場合は、図５に示されているように、ブラケット取付口１９は美観を損なわないようにキャップ３３が装着されて閉塞される。キャップ３３は樹脂が使用されて、ブラケット取付口１９と略等しい大きさの長方形板形状に形成されている。キャップ３３の上側長辺には係合爪３４が一対、左右対称形に配されて上向きに突設されており、両係合爪３４、３４はブラケット取付口１９の上側縁辺に開設された係合孔３５に内側から係合するように構成されている。キャップ３３の下側長辺の中央には押し爪３６が内側に傾斜されて下向きに突設されており、押し爪３６はブラケット取付口１９の下側内面に内側から押すように構成されている。
【００２１】
ブラケット取付口１９に装着されたキャップ３３が取り外れる場合には、マイナスのドライバー３７がキャップ３３とブラケット取付口１９との隙間における中央に挿入されて押し爪３６が押される。押し爪３６が挿入されたドライバー３７の尖端で押されると、押し爪３６はブラケット取付口１９の下側内面から離れるため、両係合爪３４、３４とブラケット取付口１９の係合孔３５、３５との係合が解除される。その結果、キャップ３３はブラケット取付口１９から外れる。
【００２２】
図６に示されているように、ブラケット２０には携帯電話等の物品を収容するための容器３８を設けることができる。容器３８は樹脂が使用されてブラケット２０と一体成形されており、ブラケット２０の左右方向の幅と略等しい幅と、携帯電話等の物品を収容するのに見合う深さおよび前後方向の幅を有する上面開口の箱形状に形成されている。容器３８の前側上端辺はブラケット２０の下面後端辺において突設されて、ブラケット２０に吊持された状態になっている。
【００２３】
例えば、容器３８に個人の携帯電話を収容すれば、個人の携帯電話を個人のロッカーや事務机の内部に収容する場合に比べて呼び出し音がよく聞こえるので、便利であり、事務机の上を占拠しないで済むため、事務能率を低下することを防止することができる。
【００２４】
なお、本発明は前記実施形態に限定されるものではなく、その要旨を逸脱しない範囲において、種々変更可能であることはいうまでもない。
【００２５】
例えば、ハンガーやキャップおよび容器の具体的構造は、前記構成に限らず、背凭れの構成や椅子の用途に応じて適宜変更することができる。
【００２６】
ブラケットにはハンガーおよび容器を取り付けるに限らず、物品を引っ掛ける掛け具等を取り付けるてもよいし、ハンガーと容器や掛け具等とを併用的に取り付けてもよい。
【００２７】
支持構造体の構成は、下端部が回転自在に支持された構成に限らず、支持構造体自身が弾性構造である構成や、支持構造体が座板に固定された構成等であってもよい。
【００２８】
【発明の効果】
以上説明したように、本発明によれば、ブラケットにハンガーを取り付けることにより、襟が押し潰されたり裾が床に引きずったりするのを防止しつつ椅子に上着を掛けることが可能になる。また、ブラケットに容器を取り付けることにより、椅子に携帯電話等の物品を置くことが可能になる。ブラケットが外されたブラケット取付口はキャップを装着することにより、塞ぐことができるため、美観が損なわれるのを防止することができる。
【００２９】
ブラケットを背凭れの支持構造体に取り付けることにより、ハンガーや物品収容容器等が装着されるブラケットを堅牢に支持することができるため、上着等のように大きくて比較的重い物品であっても支持することができる。
【図面の簡単な説明】
【図１】本発明の一実施形態である椅子を示す一部切断側面図である。
【図２】その背面図である。
【図３】ブラケット取付部を示しており、（ａ）は分解斜視図、（ｂ）は（ａ）のｂ−ｂ線に沿う組立状態の断面図である。
【図４】ブラケットを示しており、（ａ）は斜視図、（ｂ）は側面図、（ｃ）は（ｂ）のｃ−ｃ線に沿う断面図である。
【図５】キャップの装着を示しており、（ａ）は分解斜視図、（ｂ）は組立状態の背面図、（ｃ）は（ｂ）のｃ−ｃ線の断面図である。
【図６】容器の装着を示しており、（ａ）は分解斜視図、（ｂ）は組立状態の断面図である。
【符号の説明】
１…椅子、２…脚部材、３…脚体、４…座板、５…座布団、６…肘掛け、７…背凭れ、８…背板、９…背当て、１０…雄ねじ部材、１１…支持構造体、１２…支柱、１３…プレート、１４…カバー、１５…ピン、１６…スプリング、１７…雌ねじ孔、１８…雄ねじ部材、１９…ブラケット取付口、２０…ブラケット、２１…締結筒、２２…締結部、２３…ハンガー取付穴、２４…雌ねじ孔、２５…ビス、２６…ハンガー、２７…ワイヤ、２８…上着掛け部、２９…ネクタイ掛け部、３０…支持構造体部、３１…環状溝、３２…後退部、３３…キャップ、３４…係合爪、３５…係合孔、３６…押し爪、３７…ドライバー、３８…容器。
【図１】
0004046393.tif 000002
【図２】
0004046393.tif 000003
【図３】
0004046393.tif 000004
【図４】
0004046393.tif 000005
【図５】
0004046393.tif 000006
【図６】
0004046393.tif 000007